(57)【要約】【課題】  本発明は、電力量計の設置環境に左右されることなく数値表示部の表示を鮮明に読み取ることを可能にする電力量検針支援装置を提供することを課題とする【解決手段】  本発明の電力量検針支援装置１は、電力量計Ｍの数値表示部Ｎに光を照射するＬＥＤライト１４と、ＬＥＤライト１４の光の照射位置に設けられ、ＬＥＤライト１４からの光を拡散し数値表示部Ｎへと導く、数値表示部Ｎの上方に位置する上部材４と、上部材４と対向し、数値表示部Ｎの下方に位置する下部材５と、互いに数値表示部Ｎを挟んで対向し、上部材４と下部材５との左右端同士を連結する右部材６及び左部材７とを有していることを特徴とする。【選択図】  図６
2007033275.tif 000002
【特許請求の範囲】
【請求項１】
消費電力量を計測する電力量計に装着され、消費電力量を表示する数値表示部の読み取りを支援する電力量計検針支援装置であって、
前記数値表示部に光を照射する照明手段と、
この照明手段の光の照射位置に設けられ、前記照明手段からの光を前記数値表示部へと導く伝導手段とを備えることを特徴とする電力量検針支援装置。
【請求項２】
前記伝導手段は、
前記数値表示部の上方に位置する上部材と、
前記上部材と対向し、前記数値表示部の下方に位置する下部材と、
互いに前記数値表示部を挟んで対向し、前記上部材と前記下部材との左右端同士を連結する右部材及び左部材とを有し、
これらの部材は光透過性部材にて形成されていることを特徴とする請求項１に記載の電力量検針支援装置。
【請求項３】
前記上部材，前記下部材，前記右部材，前記左部材の前記数値表示部に面していない表面には、その表面から内方に向かう凹部が形成されていることを特徴とする請求項１又は２の何れかに記載の電力量検針支援装置。
【請求項４】
前記伝導手段は、
前記右部材及び前記左部材の外側に設けられ、前記数値表示部の上方から前記数値表示部に向かって傾斜した傾斜板を更に有していることを特徴とする請求項１〜３の何れかに記載の電力量検針支援装置。
【請求項５】
前記凹部は、直径１ｍｍ，深さ１ｍｍの半球状に形成されていることを特徴とする請求項１〜４の何れかに記載の電力量検針支援装置。
【請求項６】
前記照明手段は可視光を発することを特徴とする請求項１〜５の何れかに記載の電力量検針支援装置。
【請求項７】
前記数値表示部の前方に位置し前記数値表示部を映す第一鏡像手段と、
前記第一鏡像手段と対向し、前記第一鏡像手段に映った前記数値表示部の鏡像を映す第二鏡像手段と、
前記第二鏡像手段に映った鏡像を撮像する撮像手段と、
前記撮像情報を前記電力量検針支援装置の外部にある受信装置に送信する通信手段とを備えることを特徴とする請求項１〜６の何れかに記載の電力量検針支援装置。
【請求項８】
前記第一鏡像手段に映った前記数値表示部の鏡像を映す第三鏡像手段を更に有し、
前記第三鏡像手段は、前記数値表示部側とは反対側に臨んでいることを特徴とする請求項７に記載の電力量計検針支援装置。
【請求項９】
前記第一鏡像手段は、前記数値表示部に向かって傾斜しており、前記第一鏡像手段の、前記数値表示部の前面に対する傾斜角度は４１°〜４５°であることを特徴とする請求項７又は８に記載の電力量検針支援装置。
【請求項１０】
前記第二鏡像手段は、前記撮像手段の撮像方向に対して４５°〜４９°の角度で傾斜していることを特徴とする請求項７〜９の何れかに記載の電力量検針支援装置。
【請求項１１】
前記第一鏡像手段の傾斜角度と前記第二鏡像手段の傾斜角度との和は９０°であること
を特徴とする請求項７〜１０の何れかに記載の電力量検針支援装置。
【請求項１２】
前記第三鏡像手段は、前記撮像手段の撮像方向に対して２８°〜３２°の角度で傾斜していることを特徴とする請求項８〜１１の何れかに記載の電力量検針支援装置。
【請求項１３】
前記受信装置は、
前記撮像手段により撮像された数値表示部の撮像情報を受信する受信手段と、
前記撮像情報を表示する表示手段とを有することを特徴とする請求項７〜１２の何れかに記載の電力量検針支援装置。
【請求項１４】
前記数値表示部は、回転体の側面に数字が表示された数字車により形成されていることを特徴とする請求項７〜１３の何れかに記載の電力量検針支援装置。
【発明の詳細な説明】
【技術分野】
【０００１】
本発明は、電気の使用量を計量する電力量計の検針を支援する技術に関する。
【背景技術】
【０００２】
従来より、電気等の使用料金は需要家の使用量に基づき算出されている。一般に、その課金方式は、需要家の電気使用量を電力量計（検針メータ）等で計量し、その検針量（使用量）に単位あたりの使用料金を乗じ使用料金が算出される。このように電力の使用料金は検針量に基づいて決定される。
【０００３】
電力量計の検針は、検針員が各需要家宅を訪問し、各需要家宅に設置されている電力量計に表示されている検針値を目視により確認し、検針値を記録するという方法が多くとられている。
【０００４】
ところで、電力量計は、建物と建物とが隣接し暗くなっている場所や、西日の当たる壁等に設置されている場合がある。暗がりや、強い西日の下では、使用電力量を数値によって表示する数値表示部を視認することが困難であった。
【０００５】
このような問題を解決するために、特許文献１に示すような遠隔検針用端末装置が発明された。図１１０に示すように、この遠隔検針用端末装置１００には、使用電力量が表示される表示部１０１と、この表示部１０１を照明する赤外線発光器１０２とが設けられている。このように、赤外線を表示部１０１に照射することにより、西日やヘッドライトによる光や、何らかの強烈な閃光等の好ましくない光からの影響を排除する。これにより、暗闇や光によって読み取りづらかった表示部１０１の数値（使用電力量）を読み取り易くすることができた。
【特許文献１】特開２００１−１０１３７９号公報
【発明の開示】
【発明が解決しようとする課題】
【０００６】
また、使用電力量をカウントする表示部は、図１１１（ａ）に示すように、最下位桁の数字の右側に目盛と、さらにその右側の金属板の枠に表示された基準線とが設けられている。この目盛と基準線との位置関係から最下位桁の数値の繰り上がりが判別できるようになっている。
【０００７】
このように金属板上に印刷された基準線に赤外線を照射すると、図１１１（ｂ）に示すように、印刷部と被印刷部の反射率が殆ど変わらないため基準線が読み取り難くなってしまっていた。
【０００８】
また、ハーフミラーを用いて数値表示部分を透過させる場合は、外側からハーフミラーに強い光が入ったときにその光が反射してしまい、数値表示部を視認することが困難となってしまっていた。
【０００９】
そこで本発明は、電力量計の設置環境に左右されることなく数値表示部の表示を鮮明に読み取ることを可能にする電力量検針支援装置を提供することを課題とする。
【課題を解決するための手段】
【００１０】
本発明は上記事項に鑑みてなされたものであり、すなわち本発明は、消費電力量を計測する電力量計に装着され、消費電力量を表示する数値表示部の読み取りを支援する電力量
計検針支援装置であって、数値表示部に光を照射する照明手段と、この照明手段の光の照射位置に設けられ、照明手段からの光を数値表示部へと導く伝導手段とを備えることを特徴とする。
【００１１】
電力量計は、建物と建物との間や光が差し込みにくい場所に取り付けられていることが少なくないため数値表示部が見辛いことがある。検針を行うためには、数値表示部に表示された数値を検針員が読み取るため、数値表示部に光りが当たれば暗がりの中でも容易に検針を行うことができる。
【００１２】
本発明にかかる伝導手段は、数値表示部の上方に位置する上部材と、上部材と対向し、数値表示部の下方に位置する下部材と、互いに数値表示部を挟んで対向し、上部材と下部材との左右端同士を連結する右部材及び左部材とを有している。そして、これらの部材は光透過性部材にて形成されていると好ましい。
【００１３】
本発明の伝導手段は、例えば、矩形状の枠のようなものとすることができる。枠の内部に数値表示部が収まるように伝導手段を配する。そして、これらの部材は光を透過する部材で形成されているため、照明手段により各伝導手段に光を照射すると、光が各伝導手段を透過する。これにより、数値表示部には、その周囲から光りが当たるため、暗がりの中でも数値表示部の数値を視認することができる。尚、伝導手段は、伝導手段は、光透過性の部材の他にも、例えば、数値表示部まで光りが漏れてしまうことを防ぐ覆いのような部材や、レンズのようなもの等とすることができる。
【００１４】
さらに、本発明に係る伝導部材である上部材，下部材，右部材，左部材の数値表示部に面していない表面には、その表面から内方に向かう凹部が形成されていると好ましい。
【００１５】
この凹部は、例えば、直径１ｍｍ，深さ１ｍｍの半球状の窪みとすることができる。各部材の表面に凹部を設けることにより、各部材に透過した光が凹部にて拡散し、間接照明を得ることができる。これにより、伝導手段の各部材を多くの光が通り数値表示部に誘導され、数値表示部を効率的に照らすことができる。
【００１６】
また、この凹部は伝導手段の各部材の表面に複数設けられると好ましい。凹部を複数設けることにより、それぞれの凹部で拡散されるため、伝導手段全体として、均一な面照明を確保することができる。
【００１７】
また、本発明に係る伝導手段は、右部材及び左部材の外側に設けられ、数値表示部の上方から数値表示部に向かって傾斜した傾斜板を更に有した構成とすると好ましい。
【００１８】
傾斜板は、例えば、逆三角形の板材を右部材、左部材の外側の面に沿うように配される。これにより、より多くの光が傾斜板により数値表示部に集められ、光度が高くなり、検針員が数値表示部を視認し易くすることができる。尚、傾斜板は、一つではなく、複数を並べて（重ねて）設けるとより照明効果をアップさせることができる。
【００１９】
また、本発明の電力量検針支援装置は、数値表示部の前方に位置し数値表示部を映す第一鏡像手段と、第一鏡像手段と対向し、第一鏡像手段に映った数値表示部の鏡像を映す第二鏡像手段と、第二鏡像手段に映った鏡像を撮像する撮像手段と、撮像情報を電力量検針支援装置の外部にある受信装置に送信する通信手段とを備えることを特徴とする。
【００２０】
本発明の電力量検針支援装置は、電力量計に表示された消費電力の数値の読み取りを支援する装置である。本発明に係る第一鏡像手段，第二鏡像手段として、鏡を用いると好ましい。
【００２１】
また、撮像手段は、光学式のカメラやデジタルカメラを用いることができる。尚、光学式のカメラを用いた場合、撮像した画像をデジタルに変換する処理をさらに行う。
【００２２】
本発明の電力量検針支援装置は、第一鏡像手段により数値表示部を映し、第一鏡像手段に映った数値表示部の鏡像をさらに第二鏡像手段により映す。第二鏡像手段により映された像は、第一鏡像手段に映った数値表示部の鏡像の鏡像、つまり、実像ということになる。
そして、第二鏡像手段に映った鏡像を撮像手段により撮像し、さらに受信装置に送信する。
【００２３】
この受信装置は、インターネット，無線，赤外線，ブルートゥース（登録商標）等のネットワークを利用した通信機能と、受信した情報を出力する出力装置とを有している。出力装置としては、受信した情報を視聴可能にするディスプレイやスピーカー等を例示できる。
【００２４】
つまり、電力量を検針する検針員がこの受信装置を所持することにより、手元にある受信装置にて電力量計の数値表示部に表示された数値を確認することができる。これにより、高い場所や狭い場所に取り付けられた電力量計を検針するために、踏み台に登る等の作業をすることなく電力量計の検針を行うことができる。
【００２５】
また、本発明によれば、撮像手段は、第二鏡像手段に映った数値表示部の像を撮像することで間接的に数値表示部を撮像するため、撮像手段を必ずしも数値表示部の前方や斜め上方に配置する必要がなくなる。
【００２６】
これにより、本発明の電力量検針支援装置は、電力量計の数値表示部を隠すことなく電力量計に装着することができる。加えて、数値表示部の斜め上方に撮像手段を設けなくなることにより、電力量検針支援装置自体の厚みを薄型化することができ、狭いスペースに設けられた電力量計にも好適に装着することができる。
【００２７】
さらに、本発明に係る撮像手段は、数値表示部を正面から映した第一鏡像手段の像を撮像するため、特に、数値表示部がドラム型のものであっても、正面に表示されている数値を正確に撮像することができる。
【００２８】
また、本発明は、第一鏡像手段に映った数値表示部の鏡像を映す第三鏡像手段を更に有し、第三鏡像手段は、数値表示部側とは反対側に臨んでいてもよい。
【００２９】
第三鏡像手段も、第一鏡像手段及び第二鏡像手段と同様に鏡とすることができる。第三鏡像手段は、数値表示部とは反対側、つまり、第三鏡像手段は数値表示部（電力量計）の前方側に向いている。そして、第三鏡像手段は、電力量検針支援装置本体の下方向に傾斜していると好ましい。
【００３０】
これにより、電力量計が高い位置に設けられていて数値表示部を視認することができない場合でも、第三鏡像手段に映った、第一鏡像手段により映された数値表示部の正面からの像を、電力量計の下からでも確認することができる。
【００３１】
また、撮像手段に対する第一鏡像手段の傾斜角度を４３°を基準として上下に±２°とし、撮像手段に対する第三鏡像手段の傾斜角度を３０°を基準として上下に±２°とすることにより、本発明の電力量検針支援装置を多くのメーカの電力量計に好適に用いることができる。
【００３２】
さらに、本発明に係る第一鏡像手段の傾斜角度と第二鏡像手段の傾斜角度との和は９０°とするとよい。この傾斜角の範囲内において第一鏡像手段と第二鏡像手段とを傾斜させることにより、多くのメーカの電力量計に適応させることができる。
【発明の効果】
【００３３】
本発明によれば、電力量計の設置環境に左右されることなく数値表示部の表示を鮮明に読み取ることを可能にする電力量検針支援装置を提供することが可能となる。
【発明を実施するための最良の形態】
【００３４】
以下、本発明の実施の形態の電力量検針支援装置について図面を参照して説明する。  
【実施例１】
【００３５】
（装置構成）
図１に本実施形態の電力量検針支援装置１の使用状態斜視図を示す。尚、本実施例の図面では、電力量検針支援装置の前側の部分を実線で示し、それ以外は破線で示している。本実施形態の電力量検針支援装置１は、使用電力量を計量する電力量計（以下、電力量計と称す）Ｍの上部に取り付けられる。電力量計Ｍの前面には、計量した使用電力量を数値表示する数値表示部Ｎが設けられている。尚、数値表示部Ｎの前面は透明部材Ｌにより覆われている。この透明部材Ｌは、電力量計Ｍのカバーの役割を果たし、そのカバーはメーカ毎にサイズや形状が多少異なるものとする。これについては後述する。
【００３６】
また、図２は本実施例の電力量検針支援装置１の正面図であり、図３は本実施例の電力量検針支援装置の背面図であり、図４は本実施例の電力量検針支援装置の平面図であり、図５は本実施例の電力量検針支援装置の断面図であり、図６は本実施例の電力量検針支援装置の側面図である。電力量検針支援装置１は、本体２と、制御回路と電力量計Ｍの数値表示部Ｎを撮像するカメラ（撮像手段）２３（図１３参照）と、カメラ２３による撮像を補助するミラー類が収容された撮像アタッチメント３とを有している。尚、図２〜６は、透明な部材で形成された全ての部材を不透明なものとして表している。加えて、左側面図は右側面図と対称に表れるので図を省略する。
【００３７】
図１に示すように、電力量検針支援装置１は、電力量計Ｍの数値表示部Ｎ前面に撮像アタッチメント３が位置するように取り付けられる。
【００３８】
また、図７は本実施例に係る撮像アタッチメントの正面図であり、図８は本実施例に係る撮像アタッチメントの平面図であり、図９は本実施例に係る撮像アタッチメントの側面図であり、図１０は本実施例に係る撮像アタッチメント３の底面図であり、図１１は、本実施例の電力量検針支援装置の断面図である。尚、図７〜１１は、撮像アタッチメント３自体の肉厚及び内部構造を含め実際に内部が透けて見える通りに表しており、隠れ線も実線で示している。本実施形態における撮像アタッチメント３は、透明部材により形成された箱型に蓋をした形状のものであり、蓋側を電力量計Ｍの数値表示部Ｎに向けて取り付ける。尚、本実施形態では、撮像アタッチメント３は板厚さ３ｍｍの板を用いており、電力量計Ｍの前面から２５ｍｍの高さを有していることとする。つまり、本実施形態の電力量検針支援装置を電力量計に装着したとき、電力量計前面から僅か２５ｍｍのスペースがあればよいため、狭隘な場所に取り付けられた大抵の電力量計に適用することができる。
【００３９】
また、本実施形態における撮像アタッチメント３は、数値表示部Ｎの上方に位置する上部材４と、上部材４と対向し、数値表示部Ｎの下方に位置する下部材５と、互いに数値表示部Ｎを挟んで対向し、上部材４と下部材５との左右端同士を連結する右部材６及び左部材７とを有している。図６又は図９に示すように、右部材６及び左部材７は、電力量検針
支援装置１の前面側の上角部は面取りされており、下角部はほぼくの字型に切り取られた形状を成している。尚、本実施形態ではこれらの部材は光透過性部材にて形成されている。
【００４０】
また、上部材４，下部材５，右部材６，左部材７によって形成された枠の内方は中空となっているが（図１１参照）、枠の前面はカバー部材８により覆われている。このカバー部材８は透明な部材で形成されており窓のように内部を覗くことが出来るため、この部分に電力量計Ｍの数値表示部Ｎが位置させることにより数値を視認することができる（図１参照）。
【００４１】
また、本実施形態の撮像アタッチメント３は、図９，１０に示すように、上部材４，下部材５，右部材６，左部材７，カバー部材８が一体成形された前面部材３ａと、その裏側に嵌め込む背面部材３ｂとにより構成されている。図１１に示すように、背面部材３ｂは、前面部材３ａに設けられた貫通孔９に嵌合するボルト孔１０と、前面部材３ａに設けられた貫通孔１１に嵌合するボルト孔１２とを有している。貫通孔９にボルト孔１０とを連通しボルトＢ１で固定すると共に、貫通孔１１とボルト孔１２とを連通しボルトＢ２で固定することにより、前面部材３ａと背面部材３ｂとが取り付けられた状態となる。つまり、撮像アタッチメント３は、前面部材３ａと背面部材３ｂとが取り付けられ、一体となった状態となる。尚、前面部材３ａ及び背面部材３ｂはポリカーボネイト等の透明な樹脂で形成されていることとする。
【００４２】
さらに、図７に示すように、下部材５の下側の左右には、撮像アタッチメント３の前方に突出した、突出板５０ａ〜５０ｆが設けられている。突出板５０ａと突出板５０ｆ，突出板５０ｂと突出板５０ｅ，突出板５０ｃと突出板５０ｄは、互いに左右方向に対向している。加えて、突出板５０ａと突出板５０ｂと突出板５０ｃ及び突出板５０ｄと突出板５０ｅと突出板５０ｆはそれぞれ上下方向に対向している。
【００４３】
これらの突出板５０ａ〜５０ｆの間には、電力量検針支援装置１を電力量計Ｍに固定するためのゴムバンドＧが配される（図１参照）。例えば、突出板５０ａと撮像アタッチメント３の傾斜面の境の間及び突出板５０ｆと撮像アタッチメント３の傾斜面の境の間にゴムバンドＧが一本配され、突出板５０ｂと突出板５０ｃとの間及び突出板５０ｅと突出板５０ｄとの間にゴムバンドＧがもう一本配される。
【００４４】
このようにゴムバンドＧを配し、電力量計ＭにゴムバンドＧを取り付け締め付けることにより電力量検針支援装置１を電力量計Ｍに固定することができる。
【００４５】
さらに、図１２に示すように、本実施形態の電力量検針支援装置１（撮像アタッチメント３）には、電源のＯＮ／ＯＦＦにより点灯するＬＥＤライト（照明手段）１５が設けられている。本実施形態では、ＬＥＤライト１４は、右部材６の外側に縦に５つ並設され、さらにそれらに対向するように左部材７の外側に５つのＬＥＤライト１４が並設されている。これらのＬＥＤライト１４は、撮像アタッチメント３の背面部材３ｂの裏側に位置している。撮像アタッチメント３は光透過性部材であるため、ＬＥＤライト１４を点灯させると、光が背面部材３ｂ，前面部材３ａを透過する。尚、これらのＬＥＤライト１４の電源は本体２内に収容された制御回路１６から供給されている。制御回路１６については後述する。
【００４６】
さらに、図９に示すように、右部材６，左部材７の外表面及び図７に示すようにカバー部材８の一部分の表面には、小さな半球状の窪み（以下、凹部１３と称す）が複数設けられている。尚、この凹部１３は、直径１ｍｍ，深さ１ｍｍの半球状の窪みとなっている。
【００４７】
このように、右部材６，左部材７，カバー部材８の表面に凹部１３を設けることにより、ＬＥＤライト１４を点灯させると、各部材に透過した光が凹部１３内にて光が拡散し、間接照明を得ることができる。これにより、光透過性材にて形成された各部材中を多くの光が通り、カバー部材８の中央へと光を導くことができる。これにより、図１に示すように、電力量検針支援装置１を電力量計Ｍに取り付けたとき、数値表示部Ｎを効率的に照らすことができる。
【００４８】
また、各部材の表面に凹部１３を複数設けることにより、それぞれの凹部１３で拡散されるため均一な面照明を得ることができる。加えて、凹部１３の形状を全て同一としたことにより、均一な明るさの光を生成することができる。
【００４９】
これらのことにより、建物と建物との間や光が差し込みにくい場所に取り付けられている電力量計を検針する際にも、数値表示部Ｎ（図１参照）がＬＥＤライト１４の適当な光により照らされるため、検針員は暗がりの中でも容易に検針を行うことができる。尚、凹部１３は一定の大きさ以上であることが好ましい。なぜなら、本実施形態の凹部を上記したサイズよりもさらに小さくすると（例えば、凹部が設けられている各部材が磨りガラス状にすると）、ＬＥＤライト１４からの光を余分に拡散してしまう。そのため、数値表示部Ｎに充分な光を当てることができず、逆に見辛くなってしまう可能性もあるからである。
【００５０】
また、撮像アタッチメント３の右部材６と左部材７との外側には、上部材４から下部材６に向かって傾斜した、逆三角形状の傾斜板１５が設けられている。尚、本実施形態では、傾斜板１５は、左右対称に三つずつ設けられ、それらの一枚一枚が間隔を空けて互いに上方に位置していることとする。
【００５１】
これらの傾斜板１５は数値表示部Ｎに向かうように配されている。このような配置によりＬＥＤライト１４を点灯させると、数値表示部ＮにＬＥＤライト１４からの光をより多く導くことができ、数値表示部Ｎの視認性を向上させることができる。
【００５２】
以上が撮像アタッチメント３の外観構造である。
【００５３】
次に、撮像アタッチメント３の内部構造について説明する。図１３に示すように、本実施形態の撮像アタッチメント３内（具体的には、前面部材３ａと背面部材３ｂとの間に形成された空間）には、電力量計の数値表示部Ｎを映す第一ミラー（第一鏡像手段）２０と、第一ミラー２０に映った鏡像を映す第二ミラー（第二鏡像手段）２１，第三ミラー（第三鏡像手段）２２とが収容されている。
【００５４】
図１３に示すように、第一ミラー２０は、数値表示部Ｎの前方に位置し、数値表示部Ｎに向かって傾斜するように配置されている。数値表示部Ｎ（精密には、電力量計Ｍ全体を覆い数値表示部Ｎの前面に配された透明部材Ｌ）に対する第一ミラー２０の傾斜角度Ｒは、４１°〜４５°の範囲内で調節される。図１３中の複数の細線は、製造メーカによる電力量計及び数値表示部のサイズ・位置を示している。第一ミラー２０の傾斜角度Ｒを４１°〜４５°とすることにより、多くの種類の電力量計の数値表示部Ｎを、第一ミラー２０に映すことができる。
【００５５】
また、第二ミラー２１は、本体２内に収容されたカメラ２３の前方に位置している。さらに、第一ミラー２０に映った像を映すために、第二ミラー２１の鏡面は第一ミラー２０の鏡面側を向いている。つまり、第二ミラー２１は、鏡面を第一ミラー２０側に向けた状態でカメラ２３から下方に向かって傾斜している。
【００５６】
そして、第二ミラー２１は、第一ミラー２０に映った数値表示部Ｎの像を映さねばならないため、第一ミラー２０の傾斜角度の変化に応じて第二ミラー２１の傾斜角度も変化する。第二ミラー２１の傾斜角度Ｓは、カメラ２３の撮像方向（図１３中矢印Ｘ方向）に対して４５°〜４９°の範囲内である。
【００５７】
また、図１４は本実施例に係る第二ミラー２１及び第三ミラー２２を組み付けた状態における正面図であり、図１５は本実施例に係る第二ミラー２１及び第三ミラー２２を組み付けた状態における背面図であり、図１６は本実施例に係る第二ミラー２１及び第三ミラー２２を組み付けた状態における平面図であり、図１７は本実施例に係る第二ミラー２１及び第三ミラー２２を組み付けた状態における底面図であり、図１８は本実施例に係る第二ミラー２１及び第三ミラー２２を組み付けた状態における側面図であり、図１９は本実施例に係る第二ミラー２１及び第三ミラー２２を組み付けた状態における断面図である。本実施形態の第三ミラー２２は、第二ミラー２１の背面側に位置し、その鏡面を数値表示部Ｎとは反対側に向けた状態で取り付けられている。尚、図１６中の破線は隠れ線であり、第二ミラー２１と第三ミラー２２を示している。
【００５８】
本実施例では、Ｖ字型の板材の外側面に第二ミラー２１と第三ミラー２２とが背面合わせに固定されている。つまり、第三ミラー２２と第二ミラー２１とは互いに背中合わせにＶ字を成すように配置され、第三ミラー２２の鏡面は、電力量検針支援装置１の前方から覗き見ることができる状態となっている。
【００５９】
また、第三ミラー２２の傾斜角度Ｔも、第二ミラー２１と同様に第一ミラー２０に映った像を映すため、第一ミラー２０の傾斜角度Ｒの変化に応じて第三ミラー２２の傾斜角度Ｔも変化させる。第三ミラー２２は、カメラ２３の撮像方向（図１３中矢印Ｘ方向）に対して２８°〜３２°の範囲で傾斜する。尚、第一ミラー２０，第二ミラー２１，第三ミラー２２のそれぞれの傾斜角度の関係は、例えば、第一ミラー２０の傾斜角度Ｒ＝４３°，第二ミラー２１の傾斜角度Ｓ＝４７°，第三ミラー２２の傾斜角度Ｔ＝３０°とすることができる。
【００６０】
また、第一ミラー２０の傾斜角度Ｒと第二ミラー２１の傾斜角度Ｓの和が９０°となるように第一ミラー２０及び第二ミラー２１を設定すると、第二ミラー２１が第一ミラー２０に映った像を漏れなく映すことができる。
【００６１】
このように、本実施形態の電力量検針支援装置１は、電力量計Ｍの数値表示部Ｎを撮像するために、カメラ２３を電力量計Ｍの前方や斜め上方に配する必要がない。これにより、電力量検針支援装置自体の厚みを薄型化することができ、狭いスペースに設けられた電力量計にも好適に装着することができる。
【００６２】
加えて、数値表示部Ｎとカメラ２３までの光学的距離を離すことができるため、電力量計の透明部材Ｌと数値表示部Ｎとの光学的距離の差違があっても、カメラ２３の焦点距離を調整する必要がない。
【００６３】
以上が、撮像アタッチメント３内の構造である。
【００６４】
次に、本体２内に格納されているカメラ２３及び制御系統について説明する。
【００６５】
図２０にカメラ及び制御系統のブロック図を示す。制御系統は、各装置の制御やデータの計算・加工制御を司るＣＰＵ（中央処理演算装置）３０と、カメラ２３と、カメラ２３にて撮像された画像や各種制御プログラムを格納するメモリ３１と、駆動力（電力）を各装置に供給するバッテリ３２と、駆動力の供給を開始させるＩＣタグ３３と、各装置との
通信や外部との通信を担う無線通信モジュール（通信手段）３４と、アンテナ３５とから構成されている。
【００６６】
本実施形態に係るカメラ２３は、数値表示部Ｎを撮像するレンズ３６と、撮像素子であるＣＣＤ（Charge Coupled Devices）素子３７とを備えている。尚、これに限らず、撮像素子３７としてＣＭＯＳ（Complementary Metal Oxide Semiconductor）イメージセンサ
を用いてもよい。
【００６７】
また、ＩＣタグ３３は、無線のＩＣチップのことであり、需要家毎に付されたお客さま番号のような識別コードなどの情報が記録されており、電波を使って情報を送受信する能力を有する。尚、本実施形態に係る無線通信モジュール３４は、無線ＬＡＮであるとする。
【００６８】
さらに、本実施形態の電力量検針支援装置１は、内部クロック３８も備えている。この内部クロック３８を次回の検針日に設定しておくと、設定した日時になるまで内部クロック３８以外の部品への電力供給を断ち、指定日時になるとＩＣタグ３３を待ち受け状態にさせる。これによって、電力量検針支援装置１の消費電力を節約することができ、長期間メンテナンスフリーで運用できるようになる。
【００６９】
一方、検針員が所持する検針用端末（受信装置）４０は、電力量検針支援装置１のＩＣタグ３３を起動する起電力を発生させるＩＣタグＲ／Ｗ（Reader/Writer）４１と、起電
力を電力量検針支援装置１へ送信したり、電力量検針支援装置１から送信された撮像情報（画像）を受信したりする無線通信モジュール（受信手段）４２と、受信した画像を表示する表示部（表示手段）４３と、これらを制御する制御回路４４とを備えている。電力量検針支援装置１のＩＣタグ３３は、検針端末４０のＩＣタグＲ／Ｗ４１から発せられた電波を受信することによりバッテリ３２が電力供給を開始する。尚、検針端末４０は携帯電話端末として説明する。
【００７０】
（電力量検針支援工程）
次に、本実施形態の電力量検針支援装置１による検針の支援工程について図２１に示すフローチャートに基づき説明する。
【００７１】
まずは、電力量検針支援装置１を起動させる。起動させるためには、検針員が検針端末４０に設けられているＩＣタグＲ／Ｗ４１によって電力量検針支援装置１に設けられたＩＣタグ３３を起動させる（Ｓ０１）。ＩＣタグ３３が起動すると、バッテリ３２から電力が供給され、電力量検針支援装置１全体がウエイクアップの状態となる。
【００７２】
電力量検針支援装置１全体がウエイクアップの状態となったことを受けて、ＣＰＵ３０は、カメラ２３に数値表示部Ｎの撮像を開始するためにＬＥＤライト１４の点灯処理を実行する（Ｓ０２）。ＬＥＤライト１４が点灯すると、光は、光透過性部材である背面部材３ｂを透過し、傾斜板１５，右部材６，左部材７で拡散されつつ透過し、数値表示部Ｎまで導かれる。
【００７３】
ＬＥＤライト１４が点灯したことを受けて、カメラ２３は画像の撮像処理を実行する（Ｓ０３）。ここでカメラ２３は、直接数値表示部Ｎを撮像するのではなく、さらに第二ミラー２１に映った、第一ミラー２０に映った数値表示部Ｎの鏡像、即ち実像を撮像する。
【００７４】
ここで第一ミラー２０は、ほぼ正面から数値表示部Ｎを映しているため、数値表示部Ｎがドラム型の数字車であっても、正面に表示された数値を映すことができる。これにより、カメラ２３は、数字車の数字がどこを指し示しているのかが明確な画像を撮像すること
ができ、検針値を正確に読み取ることに繋がる。
【００７５】
また、第一ミラー２０は、数値表示部Ｎをほぼ正面から映しているため、第二ミラー２１に映った像を撮像したとき、その画像中の数値表示部Ｎに歪み等はほとんど生じない。
【００７６】
このように、第二ミラー２１に映った、第一ミラー２０により正面から数値表示部Ｎが映され、第二ミラー２１に映ったその鏡像をカメラ２３で間接的に撮像することにより、画像に歪みなどが生じ難くなるため、画像の歪みを補正する処理の必要がなくなる。
【００７７】
そして、ＣＰＵ３０は、撮像した電力量計Ｍの数値表示部Ｎの画像データをメモリ３１に記録する処理を実行し（Ｓ０４）、さらに、その画像を検針員の所持している検針端末４０に送信する処理を実行する（Ｓ０５）。送信された画像は、検針端末４０の表示部４３に表示される。これにより、検針員は、表示された数値表示部Ｎの画像を視認することにより、電力量計Ｍの検針を行うこととなる。
【００７８】
また、撮像アタッチメント３の光が数値表示部Ｎに向かって透過する部分に凹部１３を設けたことにより、ＬＥＤライト１４からの光を拡散し、間接照明を確保することが出来るようになった。
【００７９】
加えて、凹部１３の形状を複数配置したことにより、数値表示部Ｎに当てる光を均一な光にすることができる。これにより、数値表示部Ｎを視認し易くすることが可能となる。
【００８０】
また、検針員は、手元にある検針端末４０の表示部４３に表示された数値表示部Ｎの画像を確認することにより、踏み台等に乗ったり様々な道具を用いたりして検針を行うことがなくなる。つまり、本実施形態の電力量検針支援装置１によれば、検針員は電力量の検針を容易な作業で且つスムーズに行うことができる。
【００８１】
さらに、本実施形態の電力量検針支援装置１の第三ミラー２２は、検針員の視点側（下側）を向いている。そのため、電力量計Ｍの数値表示部Ｎを目視で確認することができる。
【００８２】
また、本実施形態の電力量検針支援装置１にはＩＣタグ３３が設けられ、且つ検針員の持つ検針端末４０にＩＣタグＲ／Ｗ４１が設けられているため、電力量検針支援装置１の起動を遠隔操作することができる。
【００８３】
これにより、検針員の背丈よりも高い位置や壁と壁との間が狭くてなかなか入れないような検針困難な場所に電力量計が設けられていても検針員は遠隔地から検針を行うことができる。また、本願の電力量検針支援装置１を電力量計に設けることにより、需要家の敷地内に電力量計が設置されていても敷地内に入ることなく検針を行うことができる。
【００８４】
また、検針端末４０を携帯電話端末とすることにより、従来から使用している検針専用の検針装置を製造する必要がなくなるため、検針作業にかかるコストを削減することができる。
【実施例２】
【００８５】
次に、本発明の実施例２についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、実施例２におけるそれらは実施例１のものと同一の構成であるため説明及び図面は省略する。
【００８６】
図２２は本実施例の電力量検針支援装置１の正面図であり、図２３は本実施例の電力量検針支援装置１の背面図であり、図２４は本実施例の電力量検針支援装置１の側面図であり、図２５は本実施例の電力量検針支援装置１の断面図であり、図２６は本実施例の電力量検針支援装置１の平面図であり、図２７は本実施例の電力量検針支援装置の底面図である。また、図２８は本実施例に係る撮像アタッチメント３の正面図であり、図２９は本実施例に係る撮像アタッチメント３の平面図であり、図３０は本実施例に係る撮像アタッチメント３の側面図であり、図３１は本実施例に係る撮像アタッチメント３の底面図であり、図３２は、本実施例の電力量検針支援装置１の断面図である。尚、図２２〜２７は、全ての部材を不透明なものとして表し、図２８〜３１は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【００８７】
本実施例の電力量検針支援装置１は、実施例１の傾斜板１５がない構成のものである。本実施例の電力量検針支援装置１の撮像アタッチメント３を構成している右部材６，左部材７の外表面及びカバー部材８の表面の一部分（電力量検針支援装置１を電力量計Ｍに取り付けたときに数値表示部Ｎの視認を妨げない位置）に凹部１３が複数設けられている。
【００８８】
そのため、本実施例の電力量検針支援装置１を電力量計Ｍに取り付けてＬＥＤライト１４を点灯し、その光を右部材６，左部材７，カバー部材８を透過させると、凹部１３によりその光が拡散されることにより、数値表示部Ｎに間接的に照明を当てることができる。これにより、数値表示部Ｎに照明が直接当たりその光が反射して数値表示部Ｎが視認し難くなることを防ぐことが可能となる。
【００８９】
また、右部材６，左部材７，カバー部材８に凹部１３を均一に複数設けたことにより、ＬＥＤライト１４からの光を均一な明るさの面照明として、数値表示部Ｎに当てることができる。これにより、数値表示部Ｎを視認し易くすることが可能となる。
【実施例３】
【００９０】
次に、本発明の実施例３についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【００９１】
図３３は本実施例の電力量検針支援装置１の正面図であり、図３４は本実施例の電力量検針支援装置１の背面図であり、図３５は本実施例の電力量検針支援装置１の側面図であり、図３６は本実施例の電力量検針支援装置１の断面図であり、図３７は本実施例の電力量検針支援装置１の平面図であり、図３８は本実施例の電力量検針支援装置１の底面図である。また、図３９に係る撮像アタッチメント３の正面図であり、図４０は本実施例に係る撮像アタッチメント３の平面図であり、図４１は本実施例に係る撮像アタッチメント３の側面図であり、図４２は本実施例に係る撮像アタッチメント３の底面図であり、図４３は、本実施例の電力量検針支援装置１の断面図である。尚、図３３〜３８は、全ての部材を不透明なものとして表し、図３９〜４２は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【００９２】
本実施例の電力量検針支援装置１は、実施例１の傾斜板１５の形状が長方形であると共に右部材６，左部材７，カバー部材８に凹部１３がない構成のものである。
【００９３】
本実施例に係る傾斜板１５は、右部材６と左部材７との外側に設けられ、傾斜板１５の長手方向を上部材４から下部材６に向かって傾斜させた状態で設けられている。尚、本実施例の傾斜板１５も実施例１の傾斜板１５と同じく左右対称に三枚ずつ設けられ、それらの一枚一枚が間隔を空けて互いに上方に位置している。
【００９４】
このように、傾斜板１５が上部材４から下部材６に向かって傾斜していることにより、ＬＥＤライト１４からの光を下方向に向かって導くことができる。そのため、本実施例の電力量検針支援装置１を電力量計Ｍに取り付けると、ＬＥＤライト１４より下側に位置する数値表示部ＮにＬＥＤライト１４からの光を数値表示部Ｎの方向に向かって導くことができる。これにより、暗い場所における検針員による数値表示部Ｎの視認が、容易に且つ正確に行うことが可能となる。
【実施例４】
【００９５】
次に、本発明の実施例４についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【００９６】
図４４は本実施例の電力量検針支援装置１の正面図であり、図４５は本実施例の電力量検針支援装置１の背面図であり、図４６は本実施例の電力量検針支援装置１の側面図であり、図４７は本実施例の電力量検針支援装置１の断面図であり、図４８は本実施例の電力量検針支援装置１の平面図であり、図４９は本実施例の電力量検針支援装置１の底面図である。また、図５０は、本実施例に係る撮像アタッチメント３の正面図であり、図５１は本実施例に係る撮像アタッチメント３の平面図であり、図５２は本実施例に係る撮像アタッチメント３の側面図であり、図５３は本実施例に係る撮像アタッチメント３の底面図であり、図５４は、本実施例の電力量検針支援装置１の断面図である。尚、図４４〜４９は、全ての部材を不透明なものとして表し、図５０〜５３は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【００９７】
本実施例の電力量検針支援装置１は、実施例２の傾斜板１５を有すると共に右部材６と左部材７とが長方形状の構成のものである。
【００９８】
本実施例に係る右部材６と左部材７とは長方形の板に形成されているため、撮像アタッチメント３全体の外観は箱形となる。尚、本実施例の右部材６と左部材７及びカバー部材８には、実施例３と同様に凹部は設けられていないものとする。このように、右部材８と左部材７とを長方形に形成することにより、製造のし易さを高めることが可能となる。
【実施例５】
【００９９】
次に、本発明の実施例５についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【０１００】
図５５は本実施例の電力量検針支援装置１の正面図であり、図５６は本実施例の電力量検針支援装置１の背面図であり、図５７は本実施例の電力量検針支援装置１の側面図であ
り、図５８は本実施例の電力量検針支援装置１の断面図であり、図５９は本実施例の電力量検針支援装置１の平面図であり、図６０は本実施例の電力量検針支援装置１の底面図である。また、図６１は本実施例に係る撮像アタッチメント３の正面図であり、図６２は本実施例に係る撮像アタッチメント３の平面図であり、図６３は本実施例に係る撮像アタッチメント３の側面図であり、図６４は本実施例に係る撮像アタッチメント３の底面図であり、図６５は、実施例の電力量検針支援装置１の断面図である。尚、図５５〜６０は、全ての部材を不透明なものとして表し、図６１〜６４は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【０１０１】
本実施例の電力量検針支援装置１は、実施例１の傾斜板１５を有すると共に右部材６と左部材７とが変形した構成のものである。
【０１０２】
図５７に示すように、本実施例に係る右部材６と左部材７は、電力量検針支援装置１の正面側の上下の角を面取りし、全体形状が六角形となっている。尚、本実施例の右部材６と左部材７及びカバー部材８には、実施例３と同様に凹部は設けられていないものとする。
【０１０３】
本実施例の電力量検針支援装置１によっても、実施例１の電力量検針支援装置１と同じ効果を得ることができる。
【実施例６】
【０１０４】
次に、本発明の実施例６についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【０１０５】
図６６は本実施例の電力量検針支援装置１の正面図であり、図６７は本実施例の電力量検針支援装置１の背面図であり、図６８は本実施例の電力量検針支援装置１の側面図であり、図６９は本実施例の電力量検針支援装置１の断面図であり、図７０は本実施例の電力量検針支援装置１の平面図であり、図７１は本実施例の電力量検針支援装置１の底面図である。また、図７２は本実施例に係る撮像アタッチメント３の正面図であり、図７３は本実施例に係る撮像アタッチメント３の平面図であり、図７４は本実施例に係る撮像アタッチメント３の側面図であり、図７５は本実施例に係る撮像アタッチメント３の底面図であり、図７６は、実施例の電力量検針支援装置１の断面図である。尚、図６６〜７１は、全ての部材を不透明なものとして表し、図７２〜７５は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【０１０６】
本実施例の電力量検針支援装置１は、実施例１の傾斜板１５及び凹部１３の構成がなく、且つ右部材６と左部材７とが実施例３と同じ形状となった構成のものである。
【０１０７】
本実施例の電力量検針支援装置１は、撮像アタッチメント３全体が光り透過性部材にて形成されているため、ＬＥＤライト１４からの光を間接照明とすることができる。これにより、数値表示部Ｎに直接光があたり反射することがなくなるため、検針員は、暗い場所でも数値表示部Ｎを視認し易くなる。
【実施例７】
【０１０８】
次に、本発明の実施例７についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【０１０９】
図７７は本実施例の電力量検針支援装置１の正面図であり、図７８は本実施例の電力量検針支援装置１の背面図であり、図７９は本実施例の電力量検針支援装置１の側面図であり、図８０は本実施例の電力量検針支援装置１の断面図であり、図８１は本実施例の電力量検針支援装置１の平面図であり、図８２は本実施例の電力量検針支援装置１の底面図である。また、図８３に係る撮像アタッチメント３の正面図であり、図８４は本実施例に係る撮像アタッチメント３の平面図であり、図８５は本実施例に係る撮像アタッチメント３の側面図であり、図８６本実施例に係る撮像アタッチメント３の底面図であり、図８７は、実施例の電力量検針支援装置１の断面図である。尚、図７７〜８２は、全ての部材を不透明なものとして表し、図８３〜８６は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【０１１０】
本実施例の電力量検針支援装置１は、実施例１の構成から凹部１３の構成を除いたものである。
【０１１１】
本実施例の電力量検針支援装置１の傾斜板１５は、実施例１と同じく数値表示部Ｎに向かうように配されている。このような配置によりＬＥＤライト１４を点灯させると、数値表示部ＮにＬＥＤライト１４からの光をより多く導くことができ、数値表示部Ｎの視認性を向上させることができる。
【実施例８】
【０１１２】
次に、本発明の実施例８についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、本実施例におけるそれらは実施例１のものと同一の構成であるため図面は簡略化する。
【０１１３】
図８８は本実施例の電力量検針支援装置１の正面図であり、図８９は本実施例の電力量検針支援装置１の背面図であり、図９０は本実施例の電力量検針支援装置１の側面図であり、図９１は本実施例の電力量検針支援装置１の断面図であり、図９２は本実施例の電力量検針支援装置１の平面図であり、図９３は本実施例の電力量検針支援装置１の底面図である。また、図９４は本実施例に係る撮像アタッチメント３の正面図であり、図９５は本実施例に係る撮像アタッチメント３の平面図であり、図９６は本実施例に係る撮像アタッチメント３の側面図であり、図９７は本実施例に係る撮像アタッチメント３の底面図であり、図９８は、実施例の電力量検針支援装置１の断面図である。尚、図８８〜９１は、全ての部材を不透明なものとして表し、図９２〜９７は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【０１１４】
本実施例の電力量検針支援装置１は、実施例１の構成と実施例７との構成をあわせた構成のものである。
【０１１５】
本実施例に係る右部材６と左部材７とは長方形の板に形成されているため、撮像アタッチメント３全体の外観は箱形となる。尚、本実施例の右部材６と左部材７及びカバー部材８には、実施例３と同様に凹部は設けられていないものとする。このように、右部材８と左部材７とを長方形に形成することにより、製造のし易さを高めることが可能となる。
【０１１６】
また、本実施例の電力量検針支援装置１は、実施例１の傾斜板１５と同じ逆三角形状であり、右部材６及び左部材７の外側に左右対称となるように三枚ずつ、それらの一部が重なるように設けられている。
【０１１７】
このように、傾斜板１５が上部材４から下部材６に向かって傾斜していることにより、ＬＥＤライト１４からの光を下方向に向かって導くことができる。そのため、本実施例の電力量検針支援装置１を電力量計Ｍに取り付けると、ＬＥＤライト１４より下側に位置する数値表示部ＮにＬＥＤライト１４からの光を数値表示部Ｎの方向に向かって導くことができる。これにより、暗い場所における検針員による数値表示部Ｎの視認が、容易に且つ正確に行うことが可能となる。
【０１１８】
さらに、本実施例の電力量検針支援装置１の撮像アタッチメント３を構成している右部材６，左部材７の外表面及びカバー部材８の表面の一部分（電力量検針支援装置１を電力量計Ｍに取り付けたときに数値表示部Ｎの視認を妨げない位置）に凹部１３が複数設けられている。
【０１１９】
そのため、本実施例の電力量検針支援装置１を電力量計Ｍに取り付けてＬＥＤライト１４を点灯し、その光を右部材６，左部材７，カバー部材８を透過させると、凹部１３によりその光が拡散されることにより、数値表示部Ｎに間接的に照明を当てることができる。これにより、数値表示部Ｎに照明が直接当たりその光が反射して数値表示部Ｎが視認し難くなることを防ぐことが可能となる。
【０１２０】
また、右部材６，左部材７，カバー部材８に凹部１３を均一に複数設けたことにより、ＬＥＤライト１４からの光を均一な明るさの面照明として、数値表示部Ｎに当てることができる。これにより、数値表示部Ｎを視認し易くすることが可能となる。
【実施例９】
【０１２１】
次に、本発明の実施例９についての電力量検針支援装置について詳説する。尚、実施例１と同一の構成には、図面中において実施例１と同一の符号を付して説明を簡略化する。また、本実施例の電力量検針支援装置にも、図１３に示す実施例１の第一ミラー及び図１４〜１９に示す第二ミラー，第三ミラーと同一のものが設けられているが、実施例２におけるそれらは実施例１のものと同一の構成であるため図面は簡略化する。
【０１２２】
図９９は本実施例の電力量検針支援装置１の正面図であり、図１００は本実施例の電力量検針支援装置１の背面図であり、図１０１は本実施例の電力量検針支援装置１の側面図であり、図１０２は本実施例の電力量検針支援装置１の断面図であり、図１０３は本実施例の電力量検針支援装置１の平面図であり、図１０４は本実施例の電力量検針支援装置１の底面図である。また、図１０５は本実施例に係る撮像アタッチメント３の正面図であり、図１０６は本実施例に係る撮像アタッチメント３の平面図であり、図１０７は本実施例に係る撮像アタッチメント３の側面図であり、図１０８は本実施例に係る撮像アタッチメント３の底面図であり、図１０９は、実施例の電力量検針支援装置１の断面図である。尚、図９９〜１０４は、全ての部材を不透明なものとして表し、図１０５〜１０８は、撮像アタッチメント３自体の肉厚及び内部構造を含め実際に内部が透けて見える通りに表している。加えて、本実施例の図面では、電力量検針支援装置１の前側の部分を実線で示し、それ以外は破線で示している。
【０１２３】
本実施例の電力量検針支援装置１は、実施例１に係る右部材６，左部材７の形状が変形したものである。本実施形態の右部材６及び左部材７は、電力量検針支援装置１の前面側の下端の角を四角形に切り取った形状を成している。
【０１２４】
また、本実施例に係る右部材６，左部材７の外表面及びカバー部材８の表面の一部分（電力量検針支援装置１を電力量計Ｍに取り付けたときに数値表示部Ｎの視認を妨げない位置）に凹部１３が複数設けられている。
【０１２５】
そのため、本実施例の電力量検針支援装置１を電力量計Ｍに取り付けてＬＥＤライト１４を点灯し、その光を右部材６，左部材７，カバー部材８を透過させると、凹部１３によりその光が拡散されることにより、数値表示部Ｎに間接的に照明を当てることができる。これにより、数値表示部Ｎに照明が直接当たりその光が反射して数値表示部Ｎが視認し難くなることを防ぐことが可能となる。
【０１２６】
また、右部材６，左部材７，カバー部材８に凹部１３を均一に複数設けたことにより、ＬＥＤライト１４からの光を均一な明るさの面照明として、数値表示部Ｎに当てることができる。これにより、数値表示部Ｎを視認し易くすることが可能となる。
【０１２７】
さらに、本実施例の電力量検針支援装置１は、逆三角形状の傾斜板１５がカバー部材８の中心に向かって配置されているため、本実施例の電力量検針支援装置１を電力量計Ｍに取り付けると、ＬＥＤライト１４より下側に位置する数値表示部ＮにＬＥＤライト１４からの光を数値表示部Ｎの方向に向かって導くことができる。これにより、暗い場所における検針員による数値表示部Ｎの視認が、容易に且つ正確に行うことが可能となる。
【図面の簡単な説明】
【０１２８】
【図１】実施例１の電力量検針支援装置の斜視図である。
【図２】実施例１の電力量検針支援装置の正面図である。
【図３】実施例１の電力量検針支援装置の背面図である。
【図４】実施例１の電力量検針支援装置の平面図である。
【図５】実施例１の電力量検針支援装置の底面図である。
【図６】実施例１の電力量検針支援装置の側面図である。
【図７】実施例１に係る撮像アタッチメントの正面図である。
【図８】実施例１に係る撮像アタッチメントの平面図である。
【図９】実施例１に係る撮像アタッチメントの側面図である。
【図１０】実施例１に係る撮像アタッチメントの底面図である。
【図１１】図２のＡ−Ａ断面図である。
【図１２】実施例１に係るＬＥＤライトの配列状態を示す図である。
【図１３】実施例１に係る電力量検針支援装置を電力量計に取り付けた状態における断面図である。
【図１４】実施例１に係る第二ミラー及び第三ミラーを組み付けた状態における正面図である。
【図１５】実施例１に係る第二ミラー及び第三ミラーを組み付けた状態における背面図である。
【図１６】実施例１に係る第二ミラー及び第三ミラーを組み付けた状態における平面図である。
【図１７】実施例１に係る第二ミラー及び第三ミラーを組み付けた状態における底面図である。
【図１８】実施例１に係る第二ミラー及び第三ミラーを組み付けた状態における側面図である。
【図１９】図１４のＢ−Ｂ断面図である。
【図２０】実施例１の電力量検針支援装置の制御系統を示すブロック図である。
【図２１】実施例１の電力量検針支援装置の電力量検針支援工程を示すフローチャートである。
【図２２】実施例２の電力量検針支援装置の正面図である。
【図２３】実施例２の電力量検針支援装置の背面図である。
【図２４】実施例２の電力量検針支援装置の側面図である。
【図２５】図２２のＣ−Ｃ断面図である。
【図２６】実施例２の電力量検針支援装置の平面図である。
【図２７】実施例２の電力量検針支援装置の底面図である。
【図２８】実施例２に係る撮像アタッチメントの正面図である。
【図２９】実施例２に係る撮像アタッチメントの平面図である。
【図３０】実施例２に係る撮像アタッチメントの側面図である。
【図３１】実施例２に係る撮像アタッチメントの底面図である。
【図３２】実施例２に係る電力量検針支援装置を電力量計に取り付けた状態における断面図である。
【図３３】実施例３の電力量検針支援装置の正面図である。
【図３４】実施例３の電力量検針支援装置の背面図である。
【図３５】実施例３の電力量検針支援装置の側面図である。
【図３６】図３３のＤ−Ｄ断面図である。
【図３７】実施例３の電力量検針支援装置の平面図である。
【図３８】実施例３の電力量検針支援装置の底面図である。
【図３９】実施例３に係る撮像アタッチメントの正面図である。
【図４０】実施例３に係る撮像アタッチメントの平面図である。
【図４１】実施例３に係る撮像アタッチメントの側面図である。
【図４２】実施例３に係る撮像アタッチメントの底面図である。
【図４３】実施例３に係る電力量検針支援装置を電力量計に取り付けた状態における断面図である。
【図４４】実施例４の電力量検針支援装置の正面図である。
【図４５】実施例４の電力量検針支援装置の背面図である。
【図４６】実施例４の電力量検針支援装置の側面図である。
【図４７】図４４のＥ−Ｅ断面図である。
【図４８】実施例４の電力量検針支援装置の平面図である。
【図４９】実施例４の電力量検針支援装置の底面図である。
【図５０】実施例４に係る撮像アタッチメントの正面図である。
【図５１】実施例４に係る撮像アタッチメントの平面図である。
【図５２】実施例４に係る撮像アタッチメントの側面図である。
【図５３】実施例４に係る撮像アタッチメントの底面図である。
【図５４】実施例４に係る電力量検針支援装置を電力量計に取り付けた状態における断面図である。
【図５５】実施例５の電力量検針支援装置の正面図である。
【図５６】実施例５の電力量検針支援装置の背面図である。
【図５７】実施例５の電力量検針支援装置の側面図である。
【図５８】図５５のＦ−Ｆ断面図である。
【図５９】実施例５の電力量検針支援装置の平面図である。
【図６０】実施例５の電力量検針支援装置の底面図である。
【図６１】実施例５に係る撮像アタッチメントの正面図である。
【図６２】実施例５に係る撮像アタッチメントの平面図である。
【図６３】実施例５に係る撮像アタッチメントの側面図である。
【図６４】実施例５に係る撮像アタッチメントの底面図である。
【図６５】実施例５に係る電力量検針支援装置を電力量計に取り付けた状態における断面図である。
【図６６】実施例６の電力量検針支援装置の正面図である。
【図６７】実施例６の電力量検針支援装置の背面図である。
【図６８】実施例６の電力量検針支援装置の側面図である。
【図６９】図６６のＧ−Ｇ断面図である。
【図７０】実施例６の電力量検針支援装置の平面図である。
【図７１】実施例６の電力量検針支援装置の底面図である。
【図７２】実施例６に係る撮像アタッチメントの正面図である。
【図７３】実施例６に係る撮像アタッチメントの平面図である。
【図７４】実施例６に係る撮像アタッチメントの側面図である。
【図７５】実施例６に係る撮像アタッチメントの底面図である。
【図７６】実施例６に係る電力量検針支援装置を電力量計に取り付けた状態における断面図である。
【図７７】実施例７の電力量検針支援装置の正面図である。
【図７８】実施例７の電力量検針支援装置の背面図である。
【図７９】実施例７の電力量検針支援装置の側面図である。
【図８０】図７７のＨ−Ｈ断面図である。
【図８１】実施例７の電力量検針支援装置の平面図である。
【図８２】実施例７の電力量検針支援装置の底面図である。
【図８３】実施例７に係る撮像アタッチメントの正面図である。
【図８４】実施例７に係る撮像アタッチメントの平面図である。
【図８５】実施例７に係る撮像アタッチメントの側面図である。
【図８６】実施例７に係る撮像アタッチメントの底面図である。
【図８７】実施例７に係る電力量検針支援装置を電力量計に取り付けた状態における断面図である。
【図８８】実施例８の電力量検針支援装置の正面図である。
【図８９】実施例８の電力量検針支援装置の背面図である。
【図９０】実施例８の電力量検針支援装置の側面図である。
【図９１】図８８のＩ−Ｉ断面図である。
【図９２】実施例８の電力量検針支援装置の平面図である。
【図９３】実施例８の電力量検針支援装置の底面図である。
【図９４】実施例８に係る撮像アタッチメントの正面図である。
【図９５】実施例８に係る撮像アタッチメントの平面図である。
【図９６】実施例８に係る撮像アタッチメントの側面図である。
【図９７】実施例８に係る撮像アタッチメントの底面図である。
【図９８】実施例８に係る電力量検針支援装置を電力量計に取り付けた状態における断面図である。
【図９９】実施例９の電力量検針支援装置の正面図である。
【図１００】実施例９の電力量検針支援装置の背面図である。
【図１０１】実施例９の電力量検針支援装置の側面図である。
【図１０２】図９９のＪ−Ｊ断面図である。
【図１０３】実施例９の電力量検針支援装置の平面図である。
【図１０４】実施例９の電力量検針支援装置の底面図である。
【図１０５】実施例９に係る撮像アタッチメントの正面図である。
【図１０６】実施例９に係る撮像アタッチメントの平面図である。
【図１０７】実施例９に係る撮像アタッチメントの側面図である。
【図１０８】実施例９に係る撮像アタッチメントの底面図である。
【図１０９】実施例９に係る電力量検針支援装置を電力量計に取り付けた状態における断面図である。
【図１１０】従来の遠隔検針用端末装置の内部構造を示す図である。
【図１１１】従来の数値表示部の表示状態を示す図である。
【符号の説明】
【０１２９】
１  電力量検針支援装置
２  本体
３  撮像アタッチメント
３ａ  前面部材
３ｂ  背面部材
４  上部材
５  下部材
６  右部材
７  左部材
８  カバー部材
９  貫通孔
１０  ボルト孔
１１  ボルト孔
１２  貫通孔
１３  凹部
１４  傾斜板
１５  ライト
１６  制御回路
２０  第一ミラー（第一鏡像手段）
２１  第二ミラー（第二鏡像手段）
２２  第三ミラー（第三鏡像手段）
２３  カメラ（撮像手段）
３１  メモリ
３２  バッテリ
３３  タグ
３４  無線通信モジュール（通信手段）
３５  アンテナ
３６  レンズ
３７  撮像素子
３７  素子
３８  内部クロック
４０  検針端末（受信装置）
４１  ＩＣタグＲ／Ｗ
４２  通信モジュール（受信手段）
４３  表示部
４４  制御回路
１００  遠隔検針用端末装置
１０１  表示部
１０２  赤外線発光器
Ｍ  電力量計
Ｎ  数値表示部
Ｂ１，Ｂ２  ボルト
【図１】
2007033275.tif 000003
【図２】
2007033275.tif 000004
【図３】
2007033275.tif 000005
【図４】
2007033275.tif 000006
【図５】
2007033275.tif 000007
【図６】
2007033275.tif 000008
【図７】
2007033275.tif 000009
【図８】
2007033275.tif 000010
【図９】
2007033275.tif 000011
【図１０】
2007033275.tif 000012
【図１１】
2007033275.tif 000013
【図１２】
2007033275.tif 000014
【図１３】
2007033275.tif 000015
【図１４】
2007033275.tif 000016
【図１５】
2007033275.tif 000017
【図１６】
2007033275.tif 000018
【図１７】
2007033275.tif 000019
【図１８】
2007033275.tif 000020
【図１９】
2007033275.tif 000021
【図２０】
2007033275.tif 000022
【図２１】
2007033275.tif 000023
【図２２】
2007033275.tif 000024
【図２３】
2007033275.tif 000025
【図２４】
2007033275.tif 000026
【図２５】
2007033275.tif 000027
【図２６】
2007033275.tif 000028
【図２７】
2007033275.tif 000029
【図２８】
2007033275.tif 000030
【図２９】
2007033275.tif 000031
【図３０】
2007033275.tif 000032
【図３１】
2007033275.tif 000033
【図３２】
2007033275.tif 000034
【図３３】
2007033275.tif 000035
【図３４】
2007033275.tif 000036
【図３５】
2007033275.tif 000037
【図３６】
2007033275.tif 000038
【図３７】
2007033275.tif 000039
【図３８】
2007033275.tif 000040
【図３９】
2007033275.tif 000041
【図４０】
2007033275.tif 000042
【図４１】
2007033275.tif 000043
【図４２】
2007033275.tif 000044
【図４３】
2007033275.tif 000045
【図４４】
2007033275.tif 000046
【図４５】
2007033275.tif 000047
【図４６】
2007033275.tif 000048
【図４７】
2007033275.tif 000049
【図４８】
2007033275.tif 000050
【図４９】
2007033275.tif 000051
【図５０】
2007033275.tif 000052
【図５１】
2007033275.tif 000053
【図５２】
2007033275.tif 000054
【図５３】
2007033275.tif 000055
【図５４】
2007033275.tif 000056
【図５５】
2007033275.tif 000057
【図５６】
2007033275.tif 000058
【図５７】
2007033275.tif 000059
【図５８】
2007033275.tif 000060
【図５９】
2007033275.tif 000061
【図６０】
2007033275.tif 000062
【図６１】
2007033275.tif 000063
【図６２】
2007033275.tif 000064
【図６３】
2007033275.tif 000065
【図６４】
2007033275.tif 000066
【図６５】
2007033275.tif 000067
【図６６】
2007033275.tif 000068
【図６７】
2007033275.tif 000069
【図６８】
2007033275.tif 000070
【図６９】
2007033275.tif 000071
【図７０】
2007033275.tif 000072
【図７１】
2007033275.tif 000073
【図７２】
2007033275.tif 000074
【図７３】
2007033275.tif 000075
【図７４】
2007033275.tif 000076
【図７５】
2007033275.tif 000077
【図７６】
2007033275.tif 000078
【図７７】
2007033275.tif 000079
【図７８】
2007033275.tif 000080
【図７９】
2007033275.tif 000081
【図８０】
2007033275.tif 000082
【図８１】
2007033275.tif 000083
【図８２】
2007033275.tif 000084
【図８３】
2007033275.tif 000085
【図８４】
2007033275.tif 000086
【図８５】
2007033275.tif 000087
【図８６】
2007033275.tif 000088
【図８７】
2007033275.tif 000089
【図８８】
2007033275.tif 000090
【図８９】
2007033275.tif 000091
【図９０】
2007033275.tif 000092
【図９１】
2007033275.tif 000093
【図９２】
2007033275.tif 000094
【図９３】
2007033275.tif 000095
【図９４】
2007033275.tif 000096
【図９５】
2007033275.tif 000097
【図９６】
2007033275.tif 000098
【図９７】
2007033275.tif 000099
【図９８】
2007033275.tif 000100
【図９９】
2007033275.tif 000101
【図１００】
2007033275.tif 000102
【図１０１】
2007033275.tif 000103
【図１０２】
2007033275.tif 000104
【図１０３】
2007033275.tif 000105
【図１０４】
2007033275.tif 000106
【図１０５】
2007033275.tif 000107
【図１０６】
2007033275.tif 000108
【図１０７】
2007033275.tif 000109
【図１０８】
2007033275.tif 000110
【図１０９】
2007033275.tif 000111
【図１１０】
2007033275.tif 000112
【図１１１】
2007033275.tif 000113